(57)【要約】    【課題】  簡単な構成で変化に富んだ演出性を発揮できる弾球遊技機を提供する。    【解決手段】  遊技部品１２に、その部品本体２５に設けられた発光表示部４２と、発光表示部４２の背後に配置された発光体４４と、発光体４４からの光を発光表示部４２に導光する導光部４３とを含む発光表示手段３１を備え、発光体４４と導光部４３とを複数設け、導光部４３相互でその長さ、断面積、色等の構成を異ならせたものである。【選択図】    図３
2006320765.tif 000002
【特許請求の範囲】
【請求項１】
遊技部品（１２）に、その部品本体（２５）に設けられた発光表示部（４２）と、該発光表示部（４２）の背後に配置された発光体（４４）と、該発光体（４４）からの光を前記発光表示部（４２）に導光する導光部（４３）とを含む発光表示手段（３１）を備えた弾球遊技機において、前記発光体（４４）と前記導光部（４３）とを複数設け、該導光部（４３）の構成を異ならせたことを特徴とする弾球遊技機。
【発明の詳細な説明】
【技術分野】
【０００１】
本発明は、パチンコ機、アレンジボール機、雀球遊技機等の弾球遊技機に関するものである。
【背景技術】
【０００２】
パチンコ機等の弾球遊技機では、例えば遊技盤の略中央に装着された液晶表示手段に、その液晶表示部とは別に複数の発光表示手段を設け、液晶表示部に表示された遊技図柄が変動後に特定態様となって特別遊技状態が発生した場合に、各発光表示手段を点滅発光させて、その特別遊技状態の発生を視覚的に演出している。
【０００３】
各発光表示手段には、液晶表示部を支持するケース本体等の部品本体の前面に発光表示部を設けると共に、この発光表示部の後方にＬＥＤ等の発光体を配置し、発光体と発光表示部との間に、発光体からの光を発光表示部に導光する導光部を設けたものがある。
【０００４】
１個の遊技部品に同一の表示目的で使用する複数の発光表示手段を設ける場合、従来は各発光表示手段とも、その各導光部の長さ及び太さを略同一にすると共に、各発光体に同一のＬＥＤ等を使用し、しかも導光部と発光体との間隔を略同一にしている。
【発明の開示】
【発明が解決しようとする課題】
【０００５】
従来の発光表示手段は、同一の表示目的で使用するものの場合には全てが略同一の構造であり、各発光表示部側の発光状態が全て同じである。このため各発光表示手段を所定の点滅周期で発光させる等によって様々な演出を行うようにしているが、各発光表示手段相互の発光状態に違いがなく、変化に乏しく演出性に欠ける欠点がある。
【０００６】
本発明は、このような従来の問題点に鑑み、簡単な構成で変化に富んだ演出性を発揮できる弾球遊技機を提供することを目的とする。
【課題を解決するための手段】
【０００７】
本発明は、遊技部品１２に、その部品本体２５に設けられた発光表示部４２と、該発光表示部４２の背後に配置された発光体４４と、該発光体４４からの光を前記発光表示部４２に導光する導光部４３とを含む発光表示手段３１を備えた弾球遊技機において、前記発光体４４と前記導光部４３とを複数設け、該導光部４３の構成を異ならせたものである。
【発明の効果】
【０００８】
本発明は、遊技部品１２に、その部品本体２５に設けられた発光表示部４２と、該発光表示部４２の背後に配置された発光体４４と、該発光体４４からの光を前記発光表示部４２に導光する導光部４３とを含む発光表示手段３１を備えた弾球遊技機において、前記発光体４４と前記導光部４３とを複数設け、該導光部４３の構成を異ならせているので、簡単な構成で変化に富んだ演出性を発揮できる。
【０００９】
また本発明は、遊技部品１２に、その部品本体２５に設けられた発光表示部４２と、該発光表示部４２の背後に配置された発光体４４と、該発光体４４からの光を前記発光表示部４２に導光する導光部４３とを含む発光表示手段３１を備えた弾球遊技機において、前記発光体４４と前記導光部４３とを複数設け、該発光体４４と該導光部４３との間隔を異ならせているので、簡単な構成で変化に富んだ演出性を発揮できる。
【発明を実施するための最良の形態】
【００１０】
以下、本発明の実施の形態を図面に基づいて詳述する。図１〜図６は、本発明をパチンコ機に採用した第１の実施形態を例示している。図１において、１は遊技機本体で、外枠に開閉自在に枢着された前枠２を有している。前枠２には、その裏側から遊技盤３が着脱自在に装着され、遊技盤３の前面側にガラス扉４と前面板５とが開閉自在に枢着されている。前面板５には、発射用の遊技球を貯留する上皿６が装着されている。前枠２の下部には、余剰球を貯留する下皿７が装着され、下皿７の左右方向の一側に発射手段８の発射ハンドル９が設けられている。
【００１１】
遊技盤３にはガイドレール１０が環状に配置され、そのガイドレール１０の内側に遊技領域１１が形成されている。遊技領域１１には、その略中央に液晶表示手段１２と特別図柄始動手段１３と可変入賞手段１４とが上下方向に配置されている。また遊技領域１１の左右両側には、普通図柄始動手段１５と普通入賞手段１６とが上下方向に配置されている。
【００１２】
液晶表示手段１２は、各種遊技情報を表示する表示手段と兼用の特別図柄表示手段１７を備え、その上部に普通図柄表示手段１８を備えている。特別図柄表示手段１７は１個又は複数個の特別図柄を変動表示可能であり、特別図柄始動手段１３が遊技球を検出することを条件に、その特別図柄が乱数制御によって所定時間変動して停止するようになっている。なお、特別図柄には、数字図柄、アルファベット図柄、キャラクター図柄等を使用可能であり、この実施形態では、数字図柄が用いられている。
【００１３】
普通図柄表示手段１８は１個又は複数個の普通図柄を変動表示可能であり、普通図柄始動手段１５が遊技球を検出することを条件に、その普通図柄が乱数制御によって所定時間変動して停止するようになっている。なお、この普通図柄にも数字図柄が用いられている。
【００１４】
特別図柄始動手段１３は、図２に示すように入賞ケース２０と、入賞ケース２０の上部で開閉自在な左右一対の開閉爪２１とを備えている。左右の開閉爪２１の間には入賞口１９が形成され、この入賞口１９に遊技球が入球し、始動スイッチ２２によって遊技球が検出されることを条件に特別図柄表示手段１７の特別図柄が上下方向に変動するようになっている。
【００１５】
可変入賞手段１４は、遊技者に有利な第１状態と不利な第２状態とに変換駆動可能で、その下部に横軸廻りに開閉可能な開閉板２３を備えている。特別図柄の変動後に特定態様となって特別遊技状態が発生したとき、開閉板２３は前側に開放して、落下してくる遊技球を可変入賞手段１４内へ案内するようになっている。  液晶表示手段１２は、図２〜図４に示すように、ケース本体（部品本体）２５と、ケース本体２５の略中央部の矩形状の窓孔２６に裏側から装着された液晶ユニット２７と、液晶ユニット２７の裏側に装着された制御ユニット２８とを有し、液晶ユニット２７に特別図柄が変動可能に表示されている。
【００１６】
ケース本体２５は、遊技盤３の前側に装着された前ケース体２９と、この前ケース体２９に対応して遊技盤３の裏側に装着された裏ケース体３０とを備えている。前ケース体２９には、窓孔２６を取り囲むように周方向に複数個の発光表示手段３１が設けられ、また前ケース体２９の前側上部に庇部３２と普通図柄表示手段１８と保留記憶表示ランプ３３とが設けられている。なお、前ケース体２９と裏ケース体３０は嵌合構造、その他の構造の位置決め手段により相対的に位置決めされている。
【００１７】
前ケース体２９は遊技盤３の前面に当接する前飾り板３４と、前飾り板３４の内周から裏側に突出し且つ遊技盤３に形成された嵌合孔３５に嵌合する嵌合胴体３６と、嵌合胴体３６の後端から内側に突出する発光表示壁３７と、発光表示壁３７の内周から裏側に突出し且つ窓孔２６を取り囲む窓周壁３８とを備え、少なくとも発光表示壁３７が透光性を有するように、無色透明、着色透明等の合成樹脂材料により一体に成形されている。
【００１８】
裏ケース体３０は遊技盤３の裏側に当接する当接板３９と、当接板３９の内周から裏側に突出する後周壁４０と、後周壁４０の後端から内側に突出する後壁４１とを一体に備え、その後壁４１の裏側に液晶ユニット２７が着脱自在に装着されている。
【００１９】
ケース本体２５の複数の発光表示手段３１は、特別図柄が特定態様になった場合の演出、特別遊技状態が発生した場合の演出、その他の同一の表示目的で使用されるものであって、発光表示壁３７の上下、左右の各辺部に、その各辺に沿って略等間隔をおいて複数配置されている。なお、発光表示手段３１は、例えば上下の各辺に６個、左右の各辺に６個配置されている。
【００２０】
各発光表示手段３１は、図５及び図６にも示すように、発光表示壁３７の前面に設けられた発光表示部４２と、発光表示部４２の後方に配置されたＬＥＤ等の発光体４４と、発光体４４からの光を発光表示部４２に導光する導光部４３とを一組として構成され、その各辺の複数の発光体４４は各辺毎に同一の基板４５に装着されている。
【００２１】
発光表示壁３７の裏側には、この発光表示壁３７と窓周壁３８とに一体に成形され且つ発光表示壁３７と窓周壁３８とを補強する補強リブ４６が各辺の長手方向に複数設けられている。各補強リブ４６は発光表示壁３７を各辺毎に複数の発光表示部４２に区画するように所定の間隔をおいて配置されており、その各補強リブ４６間の発光表示壁３７の裏側には、各発光表示部４２の略中央に後方に突出する導光部４３が、その周辺部分に乱反射部４７が夫々設けられている。
【００２２】
乱反射部４７は発光表示壁３７の各辺と略直角方向に配置された複数の山状の突起等により発光表示壁３７の裏面に凹凸状に形成され、発光体４４からの光を乱反射させて発光表示部４２の前面側を発光させるようになっている。なお、乱反射部４７は梨地状、その他の粗面状に形成しても良いし、発光表示壁３７の前面に設けても良い。
【００２３】
発光体４４は、各辺毎に基板４５の前側にプリント配線等により装着され、また各基板４５は各発光体４４と各発光表示部４２との間の間隔が略同一となるように、その裏ケース体３０の後壁４１の前面に両端及び／又は中間の複数箇所のボス、ネジ等により着脱自在に装着されている。なお、基板４５は前ケース体２９の発光表示壁３７の裏側にボス、ネジ等を介して着脱自在に装着しても良い。各発光体４４は、図外の発光制御手段等に接続され、例えば特別遊技状態が発生した場合に所定の点滅周期で発光して、その特別遊技状態を各発光表示部４２の発光により演出するようになっている。なお、各基板４５を一体に構成しても良い。
【００２４】
導光部４３は導光方向に長い円柱、角柱、その他の柱状であって、発光表示壁３７から後方に突出して一体に形成されており、各辺毎にその一部（又は全部）の導光部４３が異なっている。導光部４３には、その導光方向と略直角方向の導光面積（以下、太さという）が略同一で、導光方向の長さが異なる複数種類のものがあり、その異なる長さの導光部４３が各辺に沿って交互に配置される等、所定の配列で配置されている。
【００２５】
この実施形態では、図６に左右の各辺の複数の発光表示手段３１を例示するように、長い導光部４３ａと短い導光部４３ｂとの２種類があり、この２種類の導光部４３ａ，４３ｂが各辺に沿って交互に配置されている。なお、複数の導光部４３の全ての長さを異ならせても良い。
【００２６】
各導光部４３は、発光体４４からの光の一部が導光部４３に入り、残りの一部が直接又は補強リブ４６等で反射して間接的に乱反射部４７に到達するように、その後端が発光体４４の前側に対向している。各導光部４３と発光体４４との間隔ａ，ｂは、各導光部４３の長さの長短に応じて、長い導光部４３ａでは間隔ａが小さくなり、短い導光部４３ｂでは間隔ｂが大きくなっている。
【００２７】
なお、各導光部４３は、発光表示壁３７と同一の合成樹脂材料により構成されている。また導光部４３の後端は、前側に凹入する球面状、後方に突出する球面状、又は細かい凹凸の粗面状に形成しても良い。
【００２８】
次に上記構成の弾球遊技機の動作について説明する。発射手段８の発射ハンドル９を操作して遊技盤３の遊技領域１１へと遊技球を発射させる。遊技球は遊技領域１１内を下方に落下し、特別図柄始動手段１３、普通入賞手段１６等に入賞するか、或いは下部のアウト口を経て遊技盤３の裏側へと排出される。
【００２９】
遊技球が特別図柄始動手段１３に入球すると、特別図柄表示手段１７の特別図柄が所定時間変動して、その変動後に特定態様又は非特定態様で停止する。そして、特別図柄が特定態様で停止した場合、又はその特定態様での停止後に特別遊技状態が発生した場合には、発光制御手段の制御により各発光表示手段３１の発光体４４が点滅発光し、その光により発光表示部４２を発光させて特定態様での停止、特別遊技状態の発生を視覚的に演出する。
【００３０】
各発光体４４が発光すると、その光の一部が導光部４３を経て発光表示部４２へと導光されると共に、その光の一部が発光表示部４２の裏側の乱反射部４７に直接又は補強リブ４６で反射して乱反射部４７に入り、乱反射部４７で乱反射する。従って、各発光表示部４２は、中央部分が導光部４３の光によって発光すると共に、その周辺部分が乱反射部４７での光の乱反射によって発光する。
【００３１】
この場合、各発光表示部４２に対応する導光部４３には長さの長短があり、導光部４３と発光体４４との間隔が異なっているので、長い導光部４３ａではそれに入る光が多く、乱反射部４７に漏れる光が少なくなり、逆に短い導光部４３ｂではそれに入る光が少なく、乱反射部４７に漏れる光が多くなる。このため各導光部４３の条件の違いによって、導光部４３に対応する中心部分と、乱反射部４７に対応する周辺部分とで各発光表示部４２の発光状態が異なり、略同一の発光体４４を使用しているにも拘らず、比較的簡単な構成で変化に富んだ演出性を確保できる。
【００３２】
また発光表示壁３７の裏側には各発光表示部４２の両側に補強リブ４６があるため、この補強リブ４６によって発光表示壁３７と窓周壁３８とを補強できると共に、発光表示壁３７を複数の発光表示部４２に区画できる。しかも、発光体４４からの光を発光表示部４２側へと反射させることができ、導光部４３の導光効果と相まって発光表示部４２を効率的に発光させることができる。
【００３３】
図７は本発明の第２の実施形態を例示している。この実施例では、複数の導光部４３の内、その一部（又は全部）の導光部４３の長さ及び太さ（導光面積）を異ならせている。例えば導光部４３には、その長さの長短と太さの大小との組み合わせにより４種類のものがあり、太く短い導光部４３ｃと、太く長い導光部４３ｄと、細く短い導光部４３ｅと、細く長い導光部４３ｆとが適宜配列で組み合わせて配置されている。なお、他の構成は第１の実施形態と同様である。
【００３４】
複数の導光部４３の一部を異ならせる場合に、このように長さの長短と太さの大小とを組み合わせても、その違いにより各発光表示部４２の表示状態に変化を持たせることができる。
【００３５】
例えば、長さが同じ導光部４３ｃ，４３ｅ、４３ｄ，４３ｆでも太さの大小によって、また太さが同じ導光部４３ｃ，４３ｄ、４３ｅ，４３ｆでも長さの長短によって、発光体４４から導光部４３に入る光、漏れる光の量が夫々異なるので、発光表示部４２の導光部４３に対応する中央部分と、その周辺部分とで発光状態が変化する。このため各導光部４３の長さ及び太さの違いにより、各発光表示部４２の表示状態に変化を持たせることができる。
【００３６】
図８及び図９は本発明の第３の実施形態を例示している。この実施形態では、各発光表示手段３１において、複数の導光部４３の長さ及び太さを同じとし、その一部（又は全部）の導光部４３と、これに対応する発光体４４との間の間隔を異ならせている。例えば、導光部４３と発光体４４との複数の組み合わせには、導光部４３と発光体４４との間隔ａ，ｂの大小により２種類のものがあり、間隔の大きい組み合わせのものと、間隔の小さい組み合わせのものとが適宜配列で組み合わせて配置されている。
【００３７】
各発光体４４はリード４９を介して共通の基板４５の前側に装着されており、間隔の大きい組み合わせの発光体４４はリード４９が基板４５に直接装着され、また間隔の小さい組み合わせの発光体４４は、そのリード４９がシリコンゴム等の弾性絶縁材から成るスペーサ５０を介して基板４５に装着されている。なお、スペーサ５０は基板４５側の２本の端子５１が挿入された２個の孔５２を有し、その各孔５２に発光体４４側の２本のリード４９が挿入され、各孔５２内で端子５１に電気的に接続されている。他の構成は、第１の実施形態と同じである。
【００３８】
このように導光部４３と発光体４４との間隔ａ，ｂを変えた場合にも、発光体４４から導光部４３に入る光、漏れる光の量が夫々異なるので、発光表示部４２の導光部４３に対応する中央部分と、その周辺部分とで発光状態が変化する。このため各導光部４３の長さ及び太さの違いにより、各発光表示部４２の表示状態に変化を持たせることができる。
【００３９】
なお、この実施形態では、各導光部４３の長さ、太さを同一にしているが、長さ及び／又は太さを異ならせても良い。
【００４０】
図１０は本発明の第４の実施形態を例示している。この実施形態では、各発光表示手段３１において、複数の導光部４３に発光表示壁３７と異なる色の着色透明の合成樹脂材料を使用し、その一部（又は全部）の導光部４３の色及び長さを異ならせている。
【００４１】
発光表示壁３７は所定の無色透明、着色透明等の合成樹脂材料で構成され、その各発光表示部４２の略中央に取り付け孔５３に導光部４３が嵌合されて接着等により固定されている。なお、発光表示壁３７の裏側には、その発光表示部４２に対応して凹凸状の乱反射部４７が設けれらている。各導光部４３は何れも発光表示壁３７とは異なる色の着色透明材料で構成されている。
【００４２】
複数の導光部４３にはその色と長さとの組み合わせにより４種類（複数種類）のものがあり、例えば赤色の長い導光部４３ｇと、赤色の短い導光部４３ｈと、黄色の長い導光部４３ｉと、黄色の短い導光部４３ｊとが適宜配列で組み合わせて配置されている。各導光部４３は円柱、角柱等の柱状であって、前端が発光表示壁３７の前面と面一又は若干突出し、且つ後端側が発光表示壁３７から後方に大きく突出するように、発光表示壁３７に貫通状に挿通されており、その各導光部４３の前端面と発光表示壁３７の前面とによって各発光表示部４２が構成されている。なお、各発光体４４と基板４５との関係は全て同一であり、導光部４３の長さの違いに応じて、導光部４３と発光体４４との間隔ａ，ｂが異なっている。また他の構成は第１の実施形態と同様である。
【００４３】
このように複数の導光部４３の内、その一部の導光部４３の色、長さを異ならせても、その違いにより各発光表示部４２の表示状態に変化を持たせることができる。しかも発光表示部４２は、その中央部分が導光部４３の色で発光し、その周辺部分が発光表示壁３７の色で発光するので、一つの発光表示部４２でもその中央部と周辺部分との発光色を変えることができる。
【００４４】
勿論、この場合にも、各導光部４３の太さ（導光面積）を変えても良い。また色は単なる例示に過ぎず、一部の導光部４３と発光表示壁３７との色を同じにしても良い。更に全ての導光部４３の長さ、色、太さを変えても良いし、複数の導光部４３の内、その一部の導光部４３の色のみを変えても良い。導光部４３の全端面は、光が乱反射するように粗面状に構成しても良い。
【００４５】
図１１は本発明の第５の実施形態を例示している。この実施形態では、長さの異なる長短２種類（複数種類）の導光部４３を備え、その長さの長い導光部４３ａを発光表示壁３７と一体に設け、長さの短い導光部４３ｂを、発光体４４と発光表示部４２との間に配置している。
【００４６】
短い導光部４３ｂは、発光表示壁３７の発光表示部４２の略全域を発光させるように凹レンズ等により構成され、脚体等の支持部材５５を介して基板４５側に装着されている。支持部材５５は、屈曲可能な１又は複数（例えば２又は３本）の金属線材等により構成され、発光体４４のリードと同様に半田付け等により基板４５に固定されている。なお、短い導光部４３ｂに対応する発光表示部４２は、発光表示壁３７の裏側に乱反射部４７が設けられている。また短い導光部４３ｂは、発光表示壁３７、補強リブ４６等と一体に成形して前ケース体２９側に設けても良い。他の構成は第１の実施形態と同様である。
【００４７】
この場合には、長い導光部４３ａを備えた発光表示手段３１では、その導光部４３に対応する中央部分が明るく発光し、その周辺が淡く発光する。これに対して短い導光部４３ｂを備えた発光表示手段３１では、その導光部４３の拡散効果によって発光表示部４２の略全域が略均等に発光する。従って、導光部４３の長さの長短等によって、各発光表示部４２の発光状態に変化を持たせることだできる。
【００４８】
なお、この実施形態では、長い導光部４３ａを細くし、短い導光部４３ｂを太くすると共に、各導光部４３と発光体４４との間隔を略同じにしているが、その太さは略同一でも良いし、逆でも良い。また長い導光部４３ａと発光体４４との間隔を小さくするか大きくし、短い導光部４３ｂと発光体４４との間隔を大きくするか小さくしても良い。長い導光部４３ａも短い導光部４３ｂと同様に支持部材５５等を介して基板４５に設けても良い。
【００４９】
各実施形態には次の発明が含まれている。第１の発明は、遊技部品１２に、その部品本体２５に設けられた発光表示部４２と、該発光表示部４２の背後に配置された発光体４４と、該発光体４４からの光を前記発光表示部４２に導光する導光部４３とを含む発光表示手段３１を備えた弾球遊技機において、前記発光体４４と前記導光部４３とを複数設け、該導光部４３の構成を異ならせたものである。
【００５０】
第２の発明は、遊技部品１２に、その部品本体２５に設けられた発光表示部４２と、該発光表示部４２の背後に配置された発光体４４と、該発光体４４からの光を前記発光表示部４２に導光する導光部４３とを含む発光表示手段３１を備えた弾球遊技機において、前記発光体４４と前記導光部４３とを複数設け、該発光体４４と該導光部４３との間隔を異ならせたものである。
【００５１】
第３の発明は、第１又は２の発明において、前記導光部４３の導光方向の長さ及び導光方向の略直角方向の導光断面積の少なくとも一方を異ならせたものである。第４の発明は、第１〜３の何れかの発明において、前記導光部４３の色を異ならせたものである。第５の発明は、第１〜４の何れかの発明において、複数の前記導光部４３を一体に形成したものである。第６の発明は、第１〜５の何れかの発明において、複数の前記発光体４４を同一の基板４５に配置したものである。
【００５２】
以上、本発明の実施形態を図面に基づいて詳述したが、本発明は各実施形態に限定されるものではなく、本発明の趣旨を逸脱しない範囲で種々の変更が可能である。例えば実施形態では、液晶表示手段１２の前ケース体２９と裏ケース体３０との内、その前ケース体２９に補強リブ４６を設けているが、裏ケース体３０に補強リブ４６を設けて、この補強リブ４６によって発光表示壁３７の各発光表示部４２となる領域を区画するようにしても良い。また補強リブ４６は省略しても良い。
【００５３】
発光表示部４２は、発光表示壁３７の導光部４３に対応する部分のみに設けても良い。その場合、発光表示壁３７の各発光表示部４２以外の部分は、不透明なシート材の貼着、塗料の塗装等により、各発光体４４の光が発光表示部４２の周辺部分を通して前から見えないようにしても良い。また導光部４３の後端側に漏れ防止用のシェード等を設けるか、又は発光体４４側に漏れ防止用の反射板を設けて、発光体４４の光が極力導光部４３に入り易くなるようにしても良い。
【００５４】
複数の導光部４３の内、その一部又は全部の導光部４３を異ならせる場合、発光表示部４２側の表示状態に変化が生じる程度に、その導光部４３の構成要素の何れかが異なっておれば良い。また第１〜第３の実施形態では、各導光部４３が発光表示壁３７に一体に形成されており、この発光表示壁３７を介して導光部４３が一体に設けられているが、補強リブ４６がない場合には連結部材等を介して各導光部４３を一体に形成しても良い。導光部４３の導光方向と直角方向の断面形状を変えても良い。
【００５５】
各実施形態では、同一の表示目的で使用する複数の発光表示手段３１の場合について例示しているが、１個の発光表示手段３１が複数の発光表示部４２と導光部４３と発光体４４で構成されるような場合にも同様に実施可能である。例えば、１個の発光表示手段３１の発光表示壁３７に複数の発光表示部４２を配置し、その各発光表示部４２に対応して導光部４３と発光体４４とを夫々配置する場合に、その複数の導光部４３を一部又は全部を異ならせるか、又はその一部又は全部の導光部４３と発光体４４との間隔を異ならせるようにしても良い。
【００５６】
実施形態では遊技部品の一例として、遊技盤３側に装着される液晶表示手段１２を例示しているが、遊技盤３側に装着される他の遊技部品でも良い。また遊技部品は、遊技盤３以外の箇所、例えば前枠２、ガラス扉４等に装着されるものでも良い。要するに遊技機本体１の前側に装着される遊技部品であって、遊技者が前側から見ることのできる遊技部品であれば良い。また部品本体は、その遊技部品の一部を構成するものであれば良い。
【００５７】
発光表示部４２は必ずしも部品本体の前面又は前面側に配置する必要はなく、遊技者等が遊技機本体１の前側から視認可能な角度、方向に配置すれば良い。従って、例えば発光表示手段３１を遊技機本体１の上部に配置する場合であれば、その発光表示部４２は下向きに設けても良いし、下部に配置する場合であれば、逆に上向きに配置しても良い。勿論、左右方向に向けて配置することも可能である。
【００５８】
発光表示部４２、導光部４３、発光体４４の数は複数であれば十分である。発光体４４と導光部４３との間に、発光体４４からの光を導光部４３に集光する集光レンズを設けても良い。各導光部４３は焦点距離、色等が異なる凸レンズ、凹レンズ等で構成しても良いし、各発光表示部４２毎に対応するレンズの種類が異なるように、或る発光表示部４２に対しては凸レンズを、他の発光表示部４２に対しては凹レンズを夫々対応させて配置しても良い。
【００５９】
各実施形態では導光部４３を円柱状等に構成しているが、四角状や三角状に成形する等、種々の変更が可能である。また導光４３は補強リブ４６等と一体に形成しても良い。発光体４４は点滅発光の他、連続発光するようにしても良い。更にパチンコ機に限定されず、アレンジボール機、雀球遊技機等の弾球遊技機の全般において同様に採用可能である。
【図面の簡単な説明】
【００６０】
【図１】本発明の第１の実施例を示すパチンコ機の正面図である。
【図２】本発明の第１の実施例を示す要部の正面図である。
【図３】本発明の第１の実施例を示す要部の側断面図である。
【図４】本発明の第１の実施例を示す要部の平断面図である。
【図５】本発明の第１の実施例を示す要部の斜視図である。
【図６】本発明の第１の実施例を示す要部の側断面図である。
【図７】本発明の第２の実施例を示す要部の側断面図である。
【図８】本発明の第３の実施例を示す要部の側断面図である。
【図９】本発明の第３の実施例を示す要部の拡大断面図である。
【図１０】本発明の第４の実施例を示す要部の側断面図である。
【図１１】本発明の第５の実施例を示す要部の側断面図である。
【符号の説明】
【００６１】
１２  液晶表示手段（遊技部品）
２５  ケース本体（部品本体）
２９  前ケース体
３１  発光表示手段
４２  発光表示部
４３  導光部
４４  発光体
４５  基板
【図１】
2006320765.tif 000003
【図２】
2006320765.tif 000004
【図３】
2006320765.tif 000005
【図４】
2006320765.tif 000006
【図５】
2006320765.tif 000007
【図６】
2006320765.tif 000008
【図７】
2006320765.tif 000009
【図８】
2006320765.tif 000010
【図９】
2006320765.tif 000011
【図１０】
2006320765.tif 000012
【図１１】
2006320765.tif 000013